(57)【要約】【課題】一般住宅の窓枠などにも簡易に採用できるステンドグラス調の化粧板を提供する。【解決手段】本発明に係る化粧板は、透明である表板２と、彩色図柄３ａを施したエチレン−酢酸ビニル共重合樹脂製シート（ＥＶＡシート）３と、透明又は半透明である裏板４とからなることを特徴とし、表板２に彩色図柄が一体化したステンドグラス調の化粧板が安価に得られるように構成した。【選択図】　　図１
2004034422.tif 000002
【特許請求の範囲】
【請求項１】
透明である表板と、彩色図柄を施したエチレン−酢酸ビニル共重合樹脂製シートと、透明又は不透明である裏板とからなることを特徴とする化粧板。
【請求項２】
前記彩色図柄が、インクジェットプリンターにより印刷したものであることを特徴とする請求項１に記載の化粧板。
【請求項３】
前記裏板が、ガラス板、プラスチック板、金属板又は塗装膜であることを特徴とする請求項１又は２に記載の化粧板。
【発明の詳細な説明】
【０００１】
【発明の属する技術分野】
本発明は、例えば、ステンドグラス（絵ガラス）調の体裁を有する化粧板に関するものである。
【０００２】
【従来の技術】
一般にステンドグラスと言われているものは、彩色ガラスを種々の大きさに切り、鉛の枠に嵌め込み溶接してなる絵ガラスのことであり、前記鉛の枠が図柄の黒い輪郭線になって表現され、重厚さを醸成させるものである。この絵ガラスは古く（１２世紀〜１３世紀）は、教会堂建設において窓枠等に盛んに使われていたし、最近でも抽象的建築装飾に採用されることがある。
【０００３】
【発明が解決しようとする課題】
しかしながら、ステンドグラスは、前述の如く、種々の大きさに切った彩色ガラスを鉛の枠に嵌め込んで溶接するという芸術的作業が必要であり、多くの手間がかかる一品製作品であることから高価であり、一般住宅の窓枠などに採用することは殆ど不可能に近いものであった。
【０００４】
本発明は、上記の問題を解消するためのもので、その目的とするところは、一般住宅の窓枠などにも簡易に採用できるステンドグラス調の化粧板を提供することにある。
【０００５】
【課題を解決するための手段】
上記の目的を達成するため、本発明に係る化粧板は、透明である表板と、彩色図柄を施したエチレン−酢酸ビニル共重合樹脂製シートと、透明又は不透明である裏板とからなることを特徴とし、表板に彩色図柄が一体化したステンドグラス調の化粧板が安価に得られるように構成した。
【０００６】
また、請求項２に記載の発明に係る化粧板は、前記彩色図柄が、インクジェットプリンターにより印刷したものであることを特徴とし、少量多品種の彩色図柄が容易に得られるように構成した。
【０００７】
さらに、請求項３に記載の発明に係る化粧板は、前記裏板が、ガラス板、プラスチック板、金属板又は塗装膜であることを特徴とし、彩色図柄を施したエチレン−酢酸ビニル共重合樹脂製シートを介して、ガラス板／ガラス板、ガラス板／プラスチック板（板のみならずシート又はフィルムを含む）、ガラス板／金属板及びガラス板／塗装膜の４態様が、使用場所や使い勝手などを考慮して任意に選択できるように構成した。
【０００８】
【発明の実施の態様】
以下、本発明を添付の図面に示す一実施の態様に基づいて説明する。図１は本願化粧板の略示的拡大断面図、図２は本願化粧板の略示的分解斜視図である。
【０００９】
本願化粧板１は、透明である表板２と、彩色図柄３ａを施したエチレン−酢酸ビニル共重合樹脂製シート３と、透明又は不透明である裏板４とからなる。前記エチレン−酢酸ビニル共重合樹脂製シート（以下、単に「ＥＶＡシート」ということもある）３は、有機過酸化物やシランカップリング剤や必要な安定剤（例えば、アリル基含有化合物）を配合したＥＶＡ樹脂をシート化してなり、加熱硬化により前記表板２と裏板４とを密着一体化するものである。
【００１０】
前記ＥＶＡシート３に施してなる彩色図柄３ａは、如何なる方法で形成してもよいが、インクジェットプリンター（例：武藤工業（株）社製のラミレス）を用いてプリントするようにすると、少量多品種の彩色図柄を得るために好都合である。
【００１１】
前記インクジェットプリンターの使用の有無を問わず、使用インクには大別して水性インクと溶剤インクがある。しかして、本願化粧板１が外光を採り入れる住宅の窓などに適用されるときは、耐候性に優れた溶剤インクが使われるし、屋内専用であれば水性インクでもよい。なお、水性インクには染料系と顔料系があり、顔料系は染料系に比して耐候性が高い。
【００１２】
前記ＥＶＡシート３は、インクジェットプリンターによる印刷を可能にするためには、厚さは０．２ｍｍ以上であることが好ましい。即ち、０．２ｍｍ未満では印刷時に凹凸が出来てしまい、プリンターガイド部に引っかかってしまうか、こすれてインク落ちが生ずる虞がある。
【００１３】
また、ＥＶＡシート３は、インクジェットプリンターによる印刷適性とともに表板２と裏板４との馴染み性を考慮すると、ＶＡ値（酢酸ビニル含有率）が２０％以上であることが好ましい。ＶＡ値が高くなるほど、シートは柔らかくなるからである。
【００１４】
前記透明（半透明、着色透明を含む）である表板２には、ガラス板、プラスチック板が使用できる。透明プラスチック板にはポリカーボネート板やアクリル板がある。一方、裏板４は必ずしも透明であることを要せず、ガラス板、プラスチック板、金属板又は塗装膜で形成してよい。プラスチック板は板ばかりでなく、シート又はフィルムを含む。
【００１５】
前記裏板４として、ガラス板やプラスチック板を用いるときは、表板２／ＥＶＡシート３／裏板４の三者を積層した後、ＥＶＡシート３を加熱硬化させて三者を一体化するが、裏板４を塗装膜で形成するときは、表板２の裏面にＥＶＡシート３を加熱硬化させたのち、その裏面に塗料を塗布することとなる。なお、塗料としては、耐候性のあるウレタン系やアクリル系の塗料が良い。
【００１６】
前記ＥＶＡ樹脂には、有機過酸化物、接着促進剤を配合するが、これに加えて架橋助剤を配合することもある。また、耐候安定剤、酸化防止剤、紫外線吸収剤等を添加することもある。ここに添加する有機過酸化物は、１０時間半減温度が１０５°Ｃ以下のものが好ましい。
【００１７】
前記架橋剤である有機過酸化物には、１０時間半減温度が１０５°Ｃ以下のものを使用するが、安全性の面から最高保存温度が１０°Ｃ以上の、ジラウロイルパーオキサイド、１，１，３，３−テトラメチルブチルパーオキシ−２−エチルヘキサノエート、ジベンゾイルパーオキサイド、ｔ−アミルパーオキシ−２−エチルヘキサノエート、ｔ−ブチルパーオキシ−２−エチルヘキサノエート、ｔ−ブチルパーオキシイソブチレート、ｔ−ブチルパーオキシマレイン酸、１，１−ジ（ｔ−アミルパーオキシ）−３，３，５−トリメチルシクロヘキサン、１，１−ジ（ｔ−アミルパーオキシ）シクロヘキサン、ｔ−アミルパーオキシイソノナノエート、ｔ−アミルパーオキシノルマルオクトエート、１，１−ジ（ｔ−ブチルパーオキシ）−３，３，５−トリメチルシクロヘキサン、１，１−ジ（ｔ−ブチルパーオキシ）シクロヘキサン、ｔ−ブチルパーオキシイソプロピルカーボネート、ｔ−ブチルパーオキシ−２−エチルヘキシルカーボネート、２，５−ジメチル−２，５−ジ（ベンゾイルパーオキシ）ヘキサン、ｔ−アミル−パーオキシベンゾエート、ｔ−ブチルパーオキシアセテート、ｔ−ブチルパーオキシイソノナノエート、ｔ−ブチルパーオキシベンゾエート等から少なくとも１種類を、ＥＶＡ１００重量部に対して過酸化物は５重量部以下添加するのが好ましい。
【００１８】
前記架橋助剤は、アリル基含有化合物であるトリアリルイソシアヌレート、トリメタリルイソシアヌレート等が使用でき、ＥＶＡ１００重量部に対して架橋助剤は１０重量部以下が好ましい。
【００１９】
前記接着促進剤は、ビニルトリエトキシシラン、ビニルトリクロロシラン、ビニルトリス（β−メトキシ−エトキシ）シラン、γ−グリシドキシプロピル−トリピルトリ−メトキシシラン、β−（３，４エポキシシクロヘキシル）−エチルトリメトキシシラン、γ−グリシドキシプロピル−トリメトキシシラン、γ−アミノプロピルトリエトキシシラン等が使用でき、ＥＶＡ１００重量部に対して接着促進剤は５重量部以下が好ましい。
【００２０】
前記ＥＶＡシート３は、使い勝手を良くするために板状に成形する。板状化のためには、プレス成形機、カレンダー成形機、Ｔダイ付押出機、丸ダイ付押出機等の公知の手段により、過酸化物の１０時間半減温度以下で成形することによって行うことができる。なお、板状成形物にはエンボス模様を付けてもよい。ブロッキング防止や積層時の脱気性を良好にするためである。
【００２１】
【発明の効果】
以上の如く、本発明に係る化粧板は、透明である表板と、彩色図柄を施したエチレン−酢酸ビニル共重合樹脂製シートと、透明又は不透明である裏板とからなることを特徴としているから、透明である表板に彩色図柄が一体化したステンドグラス調の化粧板が安価に得られるという優れた効果を奏する。
【００２２】
また、請求項２に記載の発明に係る化粧板は、前記彩色図柄が、インクジェットプリンターにより印刷したものであることを特徴としているから、少量多品種の彩色図柄が容易に得られるという優れた効果を奏する。
【００２３】
さらに、請求項３に記載の発明に係る化粧板は、前記裏板が、ガラス板、プラスチック板、金属板又は塗装膜であることを特徴としているから、彩色図柄を施したエチレン−酢酸ビニル共重合樹脂製シートを介して、ガラス板／ガラス板、ガラス板／プラスチック板（板のみならずシート又はフィルムを含む）、ガラス板／金属板、ガラス板／塗装膜の４態様が、使用場所や使い勝手などを考慮して任意に選択できるという優れた効果を奏する。
【図面の簡単な説明】
【図１】本願化粧板の略示的拡大断面図である。
【図２】本願化粧板の略示的分解斜視図である。
【符号の説明】
１　本願化粧板
２　表板
３　エチレン−酢酸ビニル共重合樹脂製シート（ＥＶＡシート）
３ａ　彩色図柄
４　裏板
【図１】
2004034422.tif 000003
【図２】
2004034422.tif 000004